(57)【要約】【課題】待受け状態の長いインターホン装置において、待受時の消費電力をゼロにして環境負荷を低減する。【解決手段】インターホン子機の呼出ボタンに、温度差によって起電力を発生させるペルチェ素子を備え、子機からの呼出時に手の体温と筐体内の温度との温度差で起電力を発生させ、当該起電力による起動電流により子機電源回路が親機を起動させる起動電流を作ることにより、親機ＣＰＵが起動し、インターホン装置に動作電流を供給する。【選択図】図２
2012209606.tif 000002
【特許請求の範囲】
【請求項１】
インターホン子機（２）と、前記玄関子機と通話するインターホン親機（１）とで構成され、
前記玄関子機は待受時に前記インターホン親機から電源供給を受けないものであって、
前記子機のハンドセット（２１２）を握ることにより、手の体温と筐体内の温度との温度差で起電力を発生する第１のペルチェ素子（２１３）と、前記第１のペルチェ素子からの電流により、前記子機を起動させるための起動電流を作るための子機電源回路（２０８）とを備えたことを特徴とするインターホン装置。
【請求項２】
拡声型子機（３）と、前記拡声型子機と通話するインターホン親機（１）とで構成され、
前記拡声型子機は待受時に前記インターホン親機から電源供給を受けないものであって、
前記拡声型子機の起動ボタン（３０３）を押すことにより、指の体温と筐体内の温度との温度差で起電力を発生する第２のペルチェ素子（３１３）と、前記第２のペルチェ素子からの電流により、前記拡声型子機を起動させるための起動電流を作るための子機電源回路（３０８）とを備えたことを特徴とするインターホン装置。
【請求項３】
前記起動ボタンは、呼出ボタン（３０１）に内蔵したことを特徴とする請求項２記載のインターホン装置。
【請求項４】
前記インターホン親機は、前記起動電流により、子機の各種動作が可能となるための給電を行なう親機電源回路（１０８）を備えたことを特徴とする請求項１〜３記載のインターホン装置。
【請求項５】
前記親機電源回路の近傍に設置して前記親機電源回路の異常発熱を検知し、前記親機に通知するための第３のペルチェ素子（１１３）を備えたことを特徴とする請求項１〜４記載のインターホン装置
【請求項６】
前記第１〜第３のペルチェ素子の定期診断用として、各ペルチェ素子内蔵ボタンに触れさせ回路が正常に動作するかを確認する定温発熱体（１１４、２１４、３１４）を備えたことを特徴とする請求項１〜５記載のインターホン装置。
【発明の詳細な説明】
【技術分野】
【０００１】
本発明は、発電素子を使用したインターホン装置に関わり、特に待受時の消費電力をゼロにするインターホン装置に関する。
【背景技術】
【０００２】
インターホン装置は通話時間に比べて待受時間が大幅に長いことから、待受時に消費電力を削減することが要求されていた。過去に、呼び出しボタンの押下によって動作するリレーにより室内親機の電源回路に商用電源を供給する手段を備えた玄関子機と終話時に商用電源供給ラインを切断するための信号を直流電圧変化により玄関子機に送出する手段を備えた室内親機とで構成され待受中の消費電力をゼロにしたことを特徴とするドアホン装置が提案されていた。
【先行技術文献】
【特許文献】
【０００３】
【特許文献１】特開２０００−１０６６０４号公報
【発明の概要】
【発明が解決しようとする課題】
【０００４】
しかしながら、これらの技術では待受時の消費電力をゼロにするために子機に商用電源を供給する必要があり、施工に手間がかかるほか、防水構造等の安全性に対しても問題があった。
【０００５】
本発明では、ペルチェ素子の起電力を利用することにより、安全かつ従来のインターホン機器と同等の施工性で待受時の消費電力をゼロにすることが可能である。
【課題を解決するための手段】
【０００６】
上述の目的を達成するため、本発明の第１の態様であるインターホン装置は、インターホン子機と、玄関子機と通話するインターホン親機とで構成され、玄関子機は待受時にインターホン親機から電源供給を受けないものであって、子機のハンドセットを握ることにより、手の体温と筐体内の温度との温度差で発電する第１のペルチェ素子と、第１のペルチェ素子からの電流により、子機を起動させるための起動電流を作るための子機電源回路とを備えたことを特徴とする。
【０００７】
また、本発明の第２の態様であるインターホン装置は、玄関子機と、玄関子機と通話するインターホン親機とで構成され、玄関子機は待受時にインターホン親機から電源供給を受けないものであって、子機の起動ボタンを押すことにより、指の体温と筐体内の温度との温度差で発電する第２のペルチェ素子と、第２のペルチェ素子からの電流により、子機ＣＰＵを起動させるための起動電流を作るための子機電源回路とを備えたことを特徴とする。
【０００８】
また、本発明の第３の態様であるインターホン装置は、第２の態様のインターホン装置において、起動ボタンは、呼出ボタンに内蔵したことを特徴とする。
【０００９】
また、本発明の第４の態様であるインターホン装置は、第１から第３の態様のインターホン装置において、インターホン親機は、起動電流により、子機の各種動作が可能となるための本給電を行なう親機電源回路を備えたことを特徴とする。
【００１０】
また、本発明の第５の態様であるインターホン装置は、第１から第４の態様のインターホン装置において、親機電源回路近傍に設置して親機電源回路の異常発熱を検知し、親機に通知するための第３のペルチェ素子を備えたことを特徴とする。
【００１１】
また、本発明の第６の態様であるインターホン装置は、第１から第５の態様のインターホン装置において、ペルチェ素子の定期診断用として、各ペルチェ素子内蔵ボタンに触れさせ回路が正常に動作するかを確認する定温発熱体を備えたことを特徴とする。
【発明の効果】
【００１２】
請求項１の発明によれば、待受時、子機は電源供給をうけなくても親機を呼出したいとき子機のハンドセットを握ることにより発電され、この電力で子機を起動させることができる。
【００１３】
請求項２の発明によれば、待受時、子機は電源供給をうけなくても親機を呼出したいとき子機の起動ボタンを押すことにより発電され、この電力で子機を起動させることができる。
【００１４】
請求項３の発明によれば、子機の起動ボタンを呼出ボタンに内蔵することにより、呼出ボタンを押すことにより発電され、この電力で子機を起動させることができる。
【００１５】
請求項４の発明によれば、親機では子機の起動電流を検出して本給電を行なうため、親機の待受時の消費電力もゼロにすることができる。
【００１６】
請求項５の発明によれば、故障により異常発熱の可能性がある親機電源回路の近傍に検出用のペルチェ素子を配置し、電源回路の故障等による異常発熱を検知し制御装置に通知することができ、これにより機器の発熱による発煙発火を未然に防止することが可能となる。
【００１７】
請求項６の発明によれば、ペルチェ素子の近傍に発熱体を設置して定期的に動作試験を行なうことにより、劣化度合いを調べることができ機器の故障を早期発見することができる。
【図面の簡単な説明】
【００１８】
【図１】インターホン装置の実施例を示す構成図である。
【図２】インターホン装置の第１の実施例を示すブロック図である。
【図３】インターホン装置の第２の実施例を示すブロック図である。
【図４】インターホン装置の第２の実施例の派生例を示すブロック図である。
【発明を実施するための形態】
【００１９】
以下、本発明のインターホン装置を適用した最良の実施の形態例について、図面を参照して説明する。
【実施例１】
【００２０】
図１は、本発明の実施例によるインターホン装置の実施例を示すシステム構成図であり、インターホン子機２には親機１が接続されている。
【００２１】
図２は、本発明の実施例によるインターホン装置の一実施例を示すブロック図である。
【００２２】
インターホン子機２は、親機１と通話するためのマイクとレシーバーを内蔵したハンドセット２１２と、親機１とのデータ通信や各回路制御を行うＣＰＵ２１０と、ハンドセット２１２内に設置された発電素子である第１のペルチェ素子２１３と、第１のペルチェ素子２１３で発電された電力をＣＰＵ２１０が起動可能となる電圧に変換する子機電源回路２０８とから構成されている。
【００２３】
親機１は、商用電源により動作するものであって、子機との通話に使用するハンドセット１０１、子機を選択する子機選択ボタン１０２、子機選択ボタン１０２を押した後に呼出を確定させる呼出ボタン１０３と、インターホン子機２から本給電の要求があった場合に商用電源から動作電源を生成して供給する電源回路１０８と、インターホン子機２との信号を送受信するＣＰＵ１１０とから構成される。
【００２４】
以下動作について説明する。
【００２５】
インターホン子機２、親機１は待受時、電源供給をうけていないため待受時の消費電力はゼロである。インターホン子機２から親機１を呼出し、通話したい場合はペルチェ素子が内蔵されたハンドセット２１２をインターホン子機２から取り上げて手で握る。これによりペルチェ素子２１３の片面が手の体温で温められ、反対面は筐体内にあり温度が変化しないことからペルチェ素子はゼーベック効果により起電力を発生する。この起電力により発生した電力は電圧が安定しないため、電源回路２０８によりＣＰＵ２１０の起動電圧を作り出すことによりＣＰＵ２１０を起動させ、親機１に本給電を要求する起動電流を送る。
【００２６】
インターホン子機２からの起動電流によりを親機１のＣＰＵ１１０が起動すると、ＣＰＵ１１０は図示しない親機スピーカで呼出音を鳴動するとともに、電源回路１０８を制御して親機１の回路各部だけでなく、起動電流を送信したインターホン子機２に対しても電源を供給する（本給電）。本給電を受けたインターホン子機２は機器各部に動作に必要な電力の供給を行うことにより、インターホン子機２の通話に必要な電力を確保することができる。
【００２７】
なお、本給電を開始した後のインターホンの動作については従来技術と同様であるため、説明を省略する。
【実施例２】
【００２８】
図１は、本発明の実施例によるインターホン装置の実施例を示すシステム構成図であり、拡声型子機である玄関子機３には親機１が接続されている。
【００２９】
図３は、本発明の実施例によるインターホン装置の他の実施例を示すブロック図である。なお、親機１の構成については実施例１と同一であるため、説明を省略する。
【００３０】
玄関子機３は、親機１と通話するためのマイク３０６、スピーカ３０７と、親機１とのデータ通信や各回路制御を行うＣＰＵ３１０と、親機１を呼び出す際に操作する呼出ボタン３０１と、呼出ボタン３０１内に設置された発電素子である第２のペルチェ素子３１３と、第２のペルチェ素子３１３で発電された電力をＣＰＵ３１０が起動可能となる電圧に変換する子機電源回路３０８とから構成されている。
【００３１】
以下動作について説明する。
【００３２】
玄関子機３、親機１は待受時には第１の実施例と同様に待受時の消費電力はゼロである。玄関子機３から親機１を呼出し、通話したい場合はペルチェ素子が内蔵された呼出ボタン３０１を押下する。これによりペルチェ素子３１３の片面が指の体温で温められ、反対面は筐体内にあり温度が変化しないことからペルチェ素子は起電力を発生する。この起電力により発生した電力は電圧が安定しないため、電源回路３０８によりＣＰＵ３１０の起動電圧を作り出すことによりＣＰＵ３１０を起動させ、親機１に本給電を要求する起動電流を送る。
【００３３】
玄関子機３からの起動電流によりを親機１のＣＰＵ１１０が起動すると、ＣＰＵ１１０は電源回路１０８を制御して起動電流を送信した玄関子機３に対して電源を供給する（本給電）。本給電を受けた玄関子機３は機器各部に動作に必要な電力の供給を行うことにより、玄関子機３の通話に必要な電力を確保することができる。
【実施例３】
【００３４】
次に、電源回路の異常動作時にペルチェ素子を用いて異常動作を検出する方法について説明する。図２に示すように、親機１には電源回路１０８の近傍に第３のペルチェ素子１１３を備えている。異常動作等で電源回路１０８の負荷が上昇すると、電源回路１０８の温度が上昇する。第３のペルチェ素子１１３は、電源回路１０８の異常発熱により起電力を発生する。この起電力により発生した電力はＣＰＵ１１０で受信されると、ＣＰＵ１１０は通話の強制終了、異常状態の報知、電力の遮断等の異常動作に対する対処を行なう。
【実施例４】
【００３５】
次に、ペルチェ素子の動作確認試験について説明する。図２及び図３に示すように、第１のペルチェ素子２１３、第２のペルチェ素子３１３、第３のペルチェ素子１１３の近傍には、それぞれのペルチェ素子の動作試験の際に発熱する定温発熱体２１４、３１４、１１４が備えられている。親機１のＣＰＵ１１０は、図示しない親機１の操作部の操作、あるいは図示しないタイマからのトリガにより、定温発熱体２１４、３１４、１１４をそれぞれ順次動作させる。ＣＰＵ１１０の指示により定温発熱体２１４が発熱を開始すると、近傍にある第１のペルチェ素子２１３では第１の実施例と同様に起電力が発生し、ＣＰＵ１１０に起動電流が流れ、ペルチェ素子２１３の正常動作が確認される。同様に、定温発熱体２１４が発熱を開始すると、近傍にある第２のペルチェ素子３１３では第２の実施例と同様に起電力が発生し、定温発熱体１１４が発熱を開始すると、近傍にある第３のペルチェ素子１１３では第３の実施例と同様に起電力が発生し、ＣＰＵ１１０はそれぞれのペルチェ素子の正常動作を確認する。もしこれらの動作が確認できなかった場合には、ＣＰＵ１１０はペルチェ素子の異常動作を認識し、異常状態の報知等の異常動作に対する対処を行なう。
【産業上の利用可能性】
【００３６】
第２の実施例では呼出ボタン３０１内に第２のペルチェ素子３１３を設置したが、動作を確実にするために、図４に示すように呼出ボタン３０１と異なる位置に起動ボタン３０３を設けることも好適である。
【００３７】
また、本実施例ではインターホン子機２や玄関子機３のみに呼出のためのペルチェ素子を備えたが、親機１も玄関子機３と同様に呼出ボタンにペルチェ素子を有すれば、インターホン子機２や玄関子機３と同様の呼出動作を行うことが可能であるし、その他の方法としては、親機は室内に設置されており、もともと商用電源が接続されているため、親機のみ先行技術文献に記載された方法を利用し、子機について本発明を実施することもできる。
【００３８】
また、本実施例では戸建住宅を例にとって説明したが、これに限らず、複数の親機や制御装置が存在する集合住宅用インターホンや、病院で患者のベッドサイドに子機が設置され、ナースステーションに親機が設置されたナースコール用インターホンシステムに利用することも好適である。なお。ナースコール用インターホンシステムに本実施例を適用する際には、患者用の握りボタンにペルチェ素子を備えることにより同様の効果を奏する。
【符号の説明】
【００３９】
１・・・・インターホン親機
１１３・・・第３のペルチェ素子
１１４・・・定温発熱体
２・・・インターホン子機
２０８・・・子機電源回路
２１２・・・ハンドセット
２１３・・・第１のペルチェ素子
２１４・・・定温発熱体
３・・・・拡声型子機（玄関子機）
３０１・・・呼出ボタン
３０３・・・起動ボタン
３０８・・・子機電源回路
３１３・・・第２のペルチェ素子
３１４・・・定温発熱体
【図１】
2012209606.tif 000003
【図２】
2012209606.tif 000004
【図３】
2012209606.tif 000005
【図４】
2012209606.tif 000006